(57)【要約】【課題】姿勢を変えて設置される場合であっても、適切な検知範囲の確保が可能となる照明器具を提供する。【解決手段】本発明は、本体１と、前記本体１に配設された光源部２と、前記本体１に取付けられたセンサ取付部材５と、前記センサ取付部材５に少なくとも２つの方向に選択可能に取付けられて、その検知方向が変更可能な前記光源部２を制御するセンサ４とを備えている。センサ４は、センサ取付部材５における少なくとも２面のセンサ取付面（Ａ面、Ｂ面、Ｃ面）に選択的に取付けられる。【選択図】図３
2012204082.tif 000002
【特許請求の範囲】
【請求項１】
本体と；
前記本体に配設された光源部と；
相互の面が略直角をなして、それぞれ配線挿通孔を有した少なくとも２面のセンサ取付面を備えて前記本体に取付けられたセンサ取付部材と；
前記配線挿通孔に挿通される配線が接続され、前記少なくとも２面のセンサ取付面に選択的に取付けられて、その検知方向が変更可能な前記光源部を制御するセンサと；
を具備することを特徴とする照明器具。
【請求項２】
前記少なくとも２面に設けられた配線挿通孔は、連続して繋がっていることを特徴とする請求項１に記載の照明器具。
【発明の詳細な説明】
【技術分野】
【０００１】
本発明の実施形態は、光源部を制御するセンサを備えた照明器具に関する。
【背景技術】
【０００２】
従来、この種、照明器具において、省エネ、防犯や使用性の向上からセンサを備えて、このセンサによって照明を制御するものが知られている。例えば、玄関先に設置された照明器具においては、人感センサや照度センサによって、明るい状態では照明を消灯し、暗い状態で人が近づくと照明が点灯するといった制御が行われる。
【０００３】
このようなセンサを備える照明器具において、例えば、設置場所に応じて天井面に設置したり、壁面に横方向又は縦方向に設置したり、その姿勢を変えて設置される場合がある。
【先行技術文献】
【特許文献】
【０００４】
【特許文献１】特開２００９−２５９７５９号公報
【発明の概要】
【発明が解決しようとする課題】
【０００５】
しかしながら、上記のような照明器具において、姿勢を変えて設置されると、センサの適切な検知範囲の確保が困難となる可能性がある。
【０００６】
本発明は、上記課題に鑑みなされたもので、姿勢を変えて設置される場合であっても、適切な検知範囲の確保が可能となる照明器具を提供することを目的とする。
【課題を解決するための手段】
【０００７】
本発明の実施形態による照明器具は、本体と、前記本体に配設された光源部と、相互の面が略直角をなして、それぞれ配線挿通孔を有した少なくとも２面のセンサ取付面を備えて前記本体に取付けられたセンサ取付部材とを備えている。
【０００８】
また、前記配線挿通孔に挿通される配線が接続され、前記少なくとも２面のセンサ取付面に選択的に取付けられて、その検知方向が変更可能な前記光源部を制御するセンサを備えている。
【発明の効果】
【０００９】
本発明の実施形態によれば、姿勢を変えて設置される場合であっても、適切な検知範囲の確保が可能であるとともに、センサ取付部材の共通化が可能となる照明器具を提供することができる。
【図面の簡単な説明】
【００１０】
【図１】本発明の第１の実施形態に係る照明器具の概要を説明するために模式的に示す説明図である。
【図２】同照明器具を示す斜視図である。
【図３】同照明器具を示す分解斜視図である。
【図４】センサ及びセンサ取付部材を示す斜視図である。
【図５】センサ取付部材を示す斜視図である。
【図６】同センサ取付部材を異なる方向から見て示す斜視図である。
【図７】照明器具が天井面に設置される場合を示す説明図である。
【図８】照明器具が壁面に横方向に設置される場合を示す説明図である。
【図９】照明器具が壁面に縦方向に設置される場合を示す説明図である。
【図１０】本発明の第２の実施形態に係るセンサ取付部材において、センサが取付けられている状態を示す斜視図である。
【図１１】同センサ取付部材を示す斜視図である。
【図１２】同センサ取付部材を異なる方向から見て示す斜視図である。
【発明を実施するための形態】
【００１１】
本発明の第１の実施形態について図１乃至図９を参照して説明する。図１は、本実施形態の概要を説明するために模式的に示す説明図であり、図２は、照明器具としての軒下用ブラケットが天井面へ設置される場合を示し、図３は、分解斜視図を示している。図４乃至図６は、センサ取付部材を示し、図７乃至図９は、軒下用ブラケットが姿勢を変えて設置される場合を示している。なお、各図において同一部分には同一符号を付し、重複した説明は省略する。
【００１２】
図１において、照明器具としての軒下用ブラケットＢｋが姿勢を変えて設置されている状態が示されている。具体的には、（ａ）天井面に設置されている状態、（ｂ）壁面に横方向に設置されている状態、（ｃ）壁面に縦方向に設置されている状態、が示されており、それぞれの状態において、センサ４は、検知範囲が適切となるように、その検知方向が変更されて取付けられている。
【００１３】
センサ４は、人感センサ及び照度センサとしての機能を有するものであり、軒下用ブラケットＢｋを設置する姿勢に応じて器具本体側に対して方向を変えて選択可能に取付けられて、その検知方向が変更可能となっている。
【００１４】
図２及び図３に示すように、軒下用ブラケットＢｋは、本体であるシャーシ１と、光源部２と、カバー部材３と、センサ４と、センサ取付部材５とを備えている。
【００１５】
シャーシ１は、亜鉛めっき鋼板を折曲して形成され、略長方形状に作られている。このシャーシ１の背面側は、例えば、天井面への取付面となり、前面側（光の照射方向側）には、光源部２が配設されるようになっている。
【００１６】
シャーシ１における長手方向の両端部には、一対の台座金具１１及び取付金具１２が取付けられている。台座金具１１は、折曲して形成されており、その略中央部には前面側へ折曲されてカバー部材３の取付片１３が形成されている。この取付片１３の先端側には、取付ねじがねじ込まれるねじ穴が形成されている。
取付金具１２は、光源部２を両側から保持するものであり、一対の台座金具１１に取付けられている。
【００１７】
光源部２は、ＬＥＤモジュール２１と、このＬＥＤモジュール２１を覆い収容する透明のアクリル樹脂で形成された横長筒状のカバー２２とを備えている。ＬＥＤモジュール２１は、複数の長方形状の基板と、この基板に実装された光源としての複数のＬＥＤとから構成されている。この基板は、長手方向に並べられて配設されている。
【００１８】
基板は、絶縁材であるガラスエポキシ樹脂からなり、表面側には銅箔で形成された配線パターンが施されている。また、適宜レジスト層が施されるようになっている。なお、基板の材料は、金属製とする場合には、アルミニウム等の熱伝導性が良好で放熱性に優れたべース板の一面に絶縁層が積層された金属製のべース基板を適用するのが好ましい。
【００１９】
ＬＥＤは、表面実装型のＬＥＤパッケージである。概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。
【００２０】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２１】
なお、ＬＥＤは、ＬＥＤチップを直接基板に実装するようにしてもよく、また、砲弾型のＬＥＤを実装するようにしてもよく、実装方式や形式は、格別限定されるものではない。
【００２２】
このように構成された光源部２は、前記取付金具１２に両端部が保持されて取付けられている。なお、ＬＥＤモジュール２１の背面側には、商用電源に接続され、このＬＥＤモジュール２１におけるＬＥＤに電力を供給し点灯制御する電源ユニットが配設されている。つまり、筒状のカバー２２内には、ＬＥＤモジュール２１及び電源ユニットが配設されるようになっている。
【００２３】
カバー部材３は、透光性を有し、乳白色を呈するアクリル樹脂よって形成されていて、光源部２を覆い、光源部２から出射される光を拡散する機能を有している。このカバー部材３は、横長の直方体形状であって側面形状が背面側方向へ向かって拡がる台形状に形成されている。また、一対の側面の背面側寄りには、ねじ貫通孔が形成されている。
【００２４】
そして、カバー部材３は、シャーシ１側に固定手段としての取付ねじによって取付けられるようになっている。カバー部材３をシャーシ１の前面側から被せるように配置し、取付ねじをねじ貫通孔に貫通させて、シャーシ１側の取付片１３のねじ穴にねじ込んでカバー部材３をシャーシ１に取付けるようにする。
【００２５】
センサ４は、センサケース４１と、このセンサケース４１に設けられた球面状に突出した受光部４２とを有している。また、受光部４２と反対側には、信号線等の配線４３が導出されている。この配線４３は、前記電源ユニットに接続されるようになっている。
【００２６】
このセンサ４は、人感センサ及び照度センサとしての機能を有しており、受光部４２には、焦電センサやフォトダイオード等の光電変換素子が配設されている。したがって、このセンサ４の検知範囲に従った検知出力によってＬＥＤモジュール２１の点灯動作が制御される。
【００２７】
このセンサ４は、センサ取付部材５にねじ止めされて取付けられるようになっている。センサ取付部材５は、図４乃至図８の参照を加えて示すように、鋼鈑を略立方体形状に折曲して形成されており、相互に略直角をなす５つの略正方形状の面を有している。これらの面には、適宜、センサ４から導出される配線４３を挿通する配線挿通孔５１ａ〜５１ｄが形成されている。また、一つの面の端部には、シャーシ１側に取付けるための外方側へ延出した取付片５３が形成されている。
【００２８】
この取付片５３は、シャーシ１と台座金具１１との間に挟み込まれてねじ止め等によって取付けられるようになっており、これによってセンサ取付部材５は、本体であるシャーシ１側に取付けられる。
【００２９】
このように構成されたセンサ取付部材５には、センサ４が３つの方向に選択可能に取付けられるセンサ取付面（Ａ面、Ｂ面、Ｃ面）を有し、その検知方向が変更可能となっている。
【００３０】
より詳しくは、仮に、軒下用ブラケットＢｋが天井面に設置される状態において、センサ４が取付けられるセンサ取付部材５の面をＡ面とし、壁面に横方向に設置される状態において、センサ４が取付けられるセンサ取付部材５の面をＢ面とし、壁面に縦方向に設置される状態において、センサ４が取付けられるセンサ取付部材５の面をＣ面とする。また、Ｃ面と対向する面をＤ面とし、Ｂ面と対向する面をＥ面として説明する。
【００３１】
センサ取付部材５には、Ａ面、Ｂ面及びＣ面の各面に円形状の配線挿通孔５１ａ、５１ｂ及び５１ｃが形成されている。そして、これら配線挿通孔５１ａ、５１ｂ及び５１ｃは、スリット状の連続孔５２ａ、５２ｂ及び５２ｃによって連続して繋がるように形成されている。
【００３２】
つまり、Ａ面に形成された配線挿通孔５１ａからＢ面に向かって直線状の連続孔５２ａが形成され、Ｂ面に形成された配線挿通孔５１ｂからＡ面及びＣ面に向かって直線状の連続孔５２ｂが形成され、Ｃ面に形成された配線挿通孔５１ｃからＢ面に向かって直線状の連続孔５２ｃが形成されている。そして、これら連続孔５２ａ、５２ｂ及び５２ｃは、隣接する面の角部において繋がっており、配線挿通孔５１ａ、５１ｂ及び５１ｃは、Ａ面の配線挿通孔５１ａからＢ面の配線挿通５１ｂ、このＢ面の配線挿通５１ｂからＣ面の配線挿通孔５１ｃへと連続して繋がって形成されている。
【００３３】
また、Ｄ面は、シャーシ１側と対向する面であり、このＤ面にも配線挿通孔５１ｄが形成されている。この配線挿通孔５１ｄは、センサ４から導出された配線４３を電源ユニットに接続するために挿通する部分である。
【００３４】
図２乃至図４に示すように、軒下用ブラケットＢｋが天井面に設置される状態でセンサ４が取付けられている。この状態では、センサ４は、Ａ面に取付けられ、センサ４から導出された配線４３は、配線挿通孔５１ａを挿通し、Ｄ面の配線挿通孔５１ｄを挿通して電源ユニットに接続されている。
【００３５】
次に、この状態から軒下用ブラケットＢｋを壁面に横方向に設置される状態にセンサ４の方向を変更して取付ける場合には、センサ４をＡ面から取外し、図４の矢印で示すように、Ｂ面に移動し、ねじ止めによって取付ける。この場合、センサ４から導出された配線４３を連続孔５２ｂを通過させてＢ面側へ移動し、その配線４３を配線挿通孔５１ｂを挿通させてＢ面に取付ける。
【００３６】
さらに、軒下用ブラケットＢｋを壁面に縦方向に設置される状態にセンサ４の方向を変更して取付ける場合には、センサ４をＢ面から取外し、Ｃ面に移動し、ねじ止めによって取付ける。この場合、センサ４から導出された配線４３を連続孔５２ｂから連続孔５２ｃを通過させてＣ面側へ移動し、その配線４３を配線挿通孔５１ｃを挿通させてＣ面に取付ける。
【００３７】
このように、センサ４は、軒下用ブラケットＢｋの姿勢を変えて設置される場合、この姿勢に応じてセンサ取付面（Ａ面、Ｂ面、Ｃ面）に選択的に取付けられて、その検知方向が変更可能となる。また、姿勢を変えて設置される場合、センサ取付部材５の共通化が可能となる。
【００３８】
したがって、図７乃至図９に示すように、軒下用ブラケットＢｋが天井面に設置される場合（図７参照）、壁面に横方向に設置される場合（図８参照）及び壁面に縦方向に設置される場合（図９参照）において、センサ４の受光部４２は、下方に向けられてその検知範囲を最適化することが可能となる。
【００３９】
また、センサ４が取付けられているセンサ取付面（Ａ面、Ｂ面、Ｃ面）を変更する際、配線４３を連続孔５２ａ、５２ｂ及び５２ｃを通過させることができるので、配線４３を取外すことなく、検知方向が変更可能となる。
【００４０】
軒下用ブラケットＢｋの各姿勢での設置状態において、電源ユニットに電力が供給されると、ＬＥＤモジュール２１におけるＬＥＤに通電されＬＥＤは発光する。ＬＥＤから出射された光は、筒状のカバー２２を透過し、拡散性を有する透光性のカバー部材３を透過して拡散され、所定範囲に照射される。
【００４１】
また、センサ４の検知出力によってＬＥＤモジュール２１におけるＬＥＤの発光が制御される。例えば、昼間の明るい状態では消灯し、暗くなった状態では減光点灯し、このとき、人が近づくと全光点灯し、人が離れて所定時間経過すると再度減光点灯に戻るといった制御が可能となる。このため、省エネ、防犯、自動的に点灯や消灯が行われるため使用性が向上できる等の効果を奏することができる。
この場合、軒下用ブラケットＢｋの各姿勢において、センサ４の検知範囲が適切に確保されるため、所望のセンサ４による検知が実行されるようになる。
【００４２】
以上のように本実施形態によれば、姿勢を変えて設置される場合であっても、適切な検知範囲の確保が可能な照明器具を提供することができる。また、センサ取付部材７には、センサ４を姿勢に応じてセンサ取付面（Ａ面、Ｂ面、Ｃ面）に選択的に取付けることができるので、部品の共通化が可能となる。
【００４３】
次に、本発明の第２の実施形態について図１０乃至図１２を参照して説明する。図１０乃至図１２は、センサ取付部材５を示し、図１０は第１の実施形態における図４に相当し、図１１は図５に相当し、図１２は図６に相当している。なお、第１の実施形態と同一又は相当部分には同一符号を付し、詳細な説明は省略する。
【００４４】
本実施形態においては、センサ取付部材５には、センサ取付面であるＡ面、Ｂ面及びＣ面の各面に円形状の配線挿通孔５１ａ、５１ｂ及び５１ｃが形成されているが、これら配線挿通孔５１ａ、５１ｂ及び５１ｃを連続して繋ぐスリット状の連続孔は形成されていないものである。
【００４５】
したがって、軒下用ブラケットＢｋの姿勢を変えて設置するためにセンサ４の方向を変更して取付ける場合には、センサ４を取付面から取外し、センサ４から導出された配線４３をコネクタ等の接続から外して、取付面を変更する。この場合、変更された取付面の配線挿通孔５１ａ、５１ｂ又は５１ｃから配線４３を挿通させるようにして、再度コネクタ等に接続する。
【００４６】
以上のように本実施形態によっても第１の実施形態と同様な効果を奏することができ、姿勢を変えて設置される場合であっても、適切な検知範囲の確保が可能であるとともに、センサ取付部材７の共通化が可能となる照明器具を提供することができる。
【００４７】
なお、本発明は、上記実施形態の構成に限定されることなく、発明の要旨を逸脱しない範囲で種々の変形が可能である。例えば、光源としては、ＬＥＤに限らず蛍光ランプ等を適用するのを妨げるものではない。さらに、配線挿通孔の形状は、円形状に限らない。配線が挿通する機能を有していれば、その形状等は格別限定されるものではない。
【００４８】
また、センサの検知方向は、少なくとも２つの方向に変更可能であればよく、例えば、照明器具を天井面に設置する場合と壁面に縦方向に設置される場合との２つの設置状態に対応するものであってもよい。
さらに、センサの検知方向の変更（設定）は、照明器具の製造時及び設置施工時等に行うことが可能である。
【００４９】
また、本発明のセンサの取付け構成は、新たに設計する照明器具に適用できるばかりではなく、既に基本的に設計された既存の照明器具にセンサを取付ける場合にも適用可能である。
【符号の説明】
【００５０】
１・・・本体（シャーシ）、２・・・光源部、
３・・・カバー部材、４・・・センサ、
５・・・センサ取付部材、４２・・・受光部、
４３・・・配線、５１ａ、５１ｂ、５１ｃ、５１ｄ・・・配線挿通孔、
５２ａ、５２ｂ、５２ｃ・・・連続孔、Ａ面、Ｂ面、Ｃ面・・・センサ取付面
【図１】
2012204082.tif 000003
【図２】
2012204082.tif 000004
【図３】
2012204082.tif 000005
【図４】
2012204082.tif 000006
【図５】
2012204082.tif 000007
【図６】
2012204082.tif 000008
【図７】
2012204082.tif 000009
【図８】
2012204082.tif 000010
【図９】
2012204082.tif 000011
【図１０】
2012204082.tif 000012
【図１１】
2012204082.tif 000013
【図１２】
2012204082.tif 000014